(57)【特許請求の範囲】
【請求項１】
被支持体を支持したまま装置本体から引き出し可能に該装置本体に設けられ、前記被支持体に対する引出方向手前側に支持部を有する支持体と、
前記支持体の引出方向に沿って前記装置本体から引き出し可能に該装置本体に設けられ、前記被支持体又は該被支持体によって搬送される記録媒体に転写される画像が形成され、引出方向手前側の端部が前記支持部に対し前記引出方向と交差する交差方向に突き当たって前記装置本体に対して該交差方向に位置決めされる画像形成体と、
前記画像形成体から前記支持部に配置され、前記画像形成体の引出方向手前側の端部を前記支持部へ引っ張る力によって該支持部に突き当てる突当部材と、
を備え、
前記突当部材の引っ張る力が前記端部に作用している状態において、該端部が前記支持部に突き当たる状態が維持される
画像形成装置。
【請求項２】
前記画像形成体における引出方向奥側の端部及び前記装置本体の一方に設けられた凸部が、他方に形成された孔に対して前記引出方向又はその反対方向へ差し込まれて、前記装置本体に対して前記交差方向に位置決めされる
請求項１に記載の画像形成装置。
【請求項３】
前記画像形成体は、前記引出方向手前側から見て円形状の軸受部を有し、
前記支持部は、前記軸受部が２点接触して位置決めされるＶ字状の溝を有する
請求項１又は２に記載の画像形成装置。
【発明の詳細な説明】
【技術分野】
【０００１】
本発明は、画像形成装置に関する。
【背景技術】
【０００２】
特許文献１には、筐体の外側扉の内側に内側扉を設けて、該内側扉の保持溝で画像形成ユニットの一端部を位置決めする構成が開示されている。
【先行技術文献】
【特許文献】
【０００３】
【特許文献１】特開２０１１−６５０３０号公報
【発明の概要】
【発明が解決しようとする課題】
【０００４】
画像形成ユニット等の画像形成体を位置決めするためにインナーカバー（内側扉）を設ける構成では、インナーカバーが増える分、部品点数が増加する。
【０００５】
本発明は、画像形成体を位置決めするためのインナーカバーを設ける構成に比べ、部品点数を増加させずに、画像形成体を装置本体に対して位置決めすることを目的とする。
【課題を解決するための手段】
【０００６】
請求項１の発明は、被支持体を支持したまま装置本体から引き出し可能に該装置本体に設けられ、前記被支持体に対する引出方向手前側に支持部を有する支持体と、前記支持体の引出方向に沿って前記装置本体から引き出し可能に該装置本体に設けられ、前記被支持体又は該被支持体によって搬送される記録媒体に転写される画像が形成され、引出方向手前側の端部が前記支持部に対し前記引出方向と交差する交差方向に突き当たって前記装置本体に対して該交差方向に位置決めされる画像形成体と、を備える。
【０００７】
請求項１の発明は、前記画像形成体から前記支持部に配置され、前記画像形成体の引出方向手前側の端部を前記支持部へ引っ張る力によって該支持部に突き当てる突当部材を備える。
【０００８】
請求項２の発明は、前記画像形成体における引出方向奥側の端部及び前記装置本体の一方に設けられた凸部が、他方に形成された孔に対して前記引出方向又はその反対方向へ差し込まれて、前記装置本体に対して前記交差方向に位置決めされる。
【０００９】
請求項３の発明では、前記画像形成体は、前記引出方向手前側から見て円形状の軸受部を有し、前記支持部は、前記軸受部が２点接触して位置決めされるＶ字状の溝を有する。
【発明の効果】
【００１０】
本発明の請求項１の構成によれば、画像形成体を位置決めするためのインナーカバーを設ける構成に比べ、部品点数を増加させずに、画像形成体を装置本体に対して位置決めできる。
【００１１】
本発明の請求項１の構成によれば、装置本体に設けられた弾性部材で画像形成体の引出方向手前側の端部を支持部に押し当てる場合に比べ、装置本体の剛性を低くできる。
【００１２】
本発明の請求項２の構成によれば、画像形成体における引出方向奥側の端部を、交差方向に開放された溝に押し当てて該交差方向に位置決めする場合に比べ、簡易な構成にできる。
【００１３】
本発明の請求項３の構成によれば、軸受部が１点や３点以上で溝に接触する場合に比べ、位置決め精度を高くできる。
【図面の簡単な説明】
【００１４】
【図１】本実施形態に係る画像形成装置の構成を示す概略図である。
【図２】本実施形態に係る画像形成ユニットの前端側の構成を示す斜視図である。
【図３】本実施形態に係る画像形成ユニットの後端側の構成を示す斜視図である。
【図４】本実施形態に係る転写ユニットの構成を示す斜視図である。
【図５】本実施形態に係る画像形成装置本体の構成を示す斜視図である。
【図６】図５に示す画像形成装置本体に対して、転写ユニット及び画像形成ユニットを収納した状態を示す斜視図である。
【図７】本実施形態に係る位置決め部材の構成を示す斜視図である。
【図８】本実施形態に係る位置決め溝に軸受部を突き当てた状態を示す図である。
【図９】本実施形態に係る突当部材の構成を示す斜視図である。
【図１０】本実施形態に係る突当部材の構成を示す側断面図である。
【図１１】画像形成ユニットの後端部を画像形成装置本体に位置決めする構成の変形例を示す側面図である。
【図１２】直接転写型の画像形成装置の構成を示す概略図である。
【発明を実施するための形態】
【００１５】
以下に、本発明に係る実施形態の一例を図面に基づき説明する。
（画像形成装置１０の構成）
まず、本実施形態に係る画像形成装置１０の構成を説明する。図１は、画像形成装置１０の構成を示す概略図である。なお、下記の説明で用いる前後、左右、上下は、図中に示す矢印方向に対応する。これは、説明の便宜上、定めた方向であり、装置の前後方向、左右方向は、図中に示す矢印方向に限定されるものではない。また、図中の「○」の中に「×」が記載された記号は、紙面の手前から奥へ向かう矢印を意味し、図中の「○」の中に「・」が記載された記号は、紙面の奥から手前へ向かう矢印を意味する。
【００１６】
画像形成装置１０は、図１に示されるように、各構成部品が内部に収容される画像形成装置本体６０を備えている。画像形成装置本体６０の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、が設けられている。また、画像形成装置本体６０の上部には、画像形成部１４によって画像が形成された記録媒体Ｐが排出される排出部１８が設けられている。
【００１７】
画像形成部１４は、イエロー（Ｙ）、マゼンタ（Ｍ）、シアン（Ｃ）、ブラック（Ｋ）の各色のトナー画像を形成する画像形成体の一例としての画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４（転写体）と、を備えている。さらに、画像形成部１４は、各画像形成ユニット２２Ｙ〜２２Ｋで形成されたトナー画像を中間転写ベルト２４に転写する第１転写ロール２６と、第１転写ロール２６によって中間転写ベルト２４に転写されたトナー画像を転写位置Ｔにて中間転写ベルト２４から記録媒体Ｐへ転写する第２転写ロール２８と、を備えている。
【００１８】
中間転写ベルト２４は、環状に形成されると共に、画像形成ユニット２２Ｙ〜２２Ｋの上側に配置されている。中間転写ベルト２４の内周側には、中間転写ベルト２４が巻き掛けられる巻掛ロール４２、４３、４４、４５が設けられている。巻掛ロール４２は、第２転写ロール２８に対向する対向ロールとされている。巻掛ロール４３は、駆動ロールとされている。巻掛ロール４４は、中間転写ベルト２４に張力を付与する付与ロールとされている。中間転写ベルト２４は、巻掛ロール４３が回転駆動することによって、感光体３２と接触しながら一方向（例えば、図１における反時計回り方向）へ循環移動（回転）するようになっている。なお、中間転写ベルト２４は、後述する転写ユニット７０の一部を構成している。
【００１９】
搬送部１６は、収容部１２に収容された記録媒体Ｐを送り出す送出ロール４６と、送出ロール４６に送り出された記録媒体Ｐが搬送される搬送路４８と、送出ロール４６によって送り出された記録媒体Ｐを転写位置Ｔへ搬送する搬送ロール５０と、を有している。
【００２０】
転写位置Ｔの搬送方向下流側には、第２転写ロール２８によって記録媒体Ｐに転写されたトナー画像を記録媒体Ｐに定着させる定着装置４０が設けられている。この定着装置４０の搬送方向下流側には、トナー画像が定着された記録媒体Ｐを排出部１８へ排出する排出ロール５２が設けられている。
【００２１】
（画像形成ユニット２２Ｙ〜２２Ｋ）
画像形成ユニット２２Ｙ〜２２Ｋは、画像形成装置本体６０から前方へ引出可能に画像形成装置本体６０に設けられたユニットである。具体的には、画像形成ユニット２２Ｙ〜２２Ｋは、図１に示されるように、一方向（例えば、図１における時計回り方向）へ回転する感光体３２をそれぞれ有している。
【００２２】
感光体３２は、具体的には、図２及び図３に示されるように、その回転軸３３の両端部が軸受部３２Ａ、３２Ｂに回転可能に支持されており、ギヤ３５を通じて駆動力が伝達されて回転する。なお、各画像形成ユニット２２Ｙ〜２２Ｋは、同様に構成されているので、図１において、画像形成ユニット２２Ｍ、２２Ｃ、２２Ｋにおける各部の符号を省略している。
【００２３】
各感光体３２の周囲には、図１に示されるように、感光体３２の回転方向上流側から順に、感光体３２を帯電させる帯電装置としての帯電ロール２３と、帯電ロール２３によって帯電した感光体３２を露光して感光体３２に静電潜像を形成する露光装置３６と、露光装置３６によって感光体３２に形成された静電潜像を現像してトナー画像を形成する現像装置３８と、が設けられている。
【００２４】
各画像形成ユニット２２Ｙ〜２２Ｋは、前板２９Ａ（図２参照）及び後板２９Ｂ（図３参照）を有する筐体２９を備えている。この筐体２９の上部は開放されており、図２に示されるように、感光体３２の外周の一部及び、軸受部３２Ａの外周の一部が上方へ露出している。この軸受部３２Ａは、前板２９Ａから前側へ突き出ている。また、前板２９Ａには、後述する突当部材１００が取り付けられている。さらに、図３に示されるように、軸受部３２Ｂは、後板２９Ｂの後側へ突き出ている。
【００２５】
なお、画像形成装置本体６０から引き出される画像形成ユニット２２Ｙ〜２２Ｋとしては、少なくとも感光体３２を有していればよい。
【００２６】
（転写ユニット７０）
転写ユニット７０は、画像形成ユニット２２Ｙ〜２２Ｋと同様に、画像形成装置本体６０から前方へ引出可能に画像形成装置本体６０に設けられたユニットである。具体的には、転写ユニット７０は、図４に示されるように、被支持体の一例としての中間転写ベルト２４と、中間転写ベルト２４を支持する支持体７１と、を有している。支持体７１は、支持部の一例としての前板７２と、後板７４と、前述の巻掛ロール４２、４３、４４、４５と、を有している。
【００２７】
前板７２は、中間転写ベルト２４の前方側（引出方向手前側）に配置されたフレーム（板体）で構成されている。後板７４は、中間転写ベルト２４の後方側（引出方向奥側）に配置されたフレーム（板体）で構成されている。前板７２及び後板７４は、具体的には、中間転写ベルト２４が巻き掛けられた巻掛ロール４２、４３、４４、４５の軸方向両端部を回転可能に支持することで、中間転写ベルト２４を支持している。
【００２８】
前板７２の前面には、画像形成装置本体６０から前方へ転写ユニット７０を引き出す際に把持する把持部としての取っ手７６が設けられている。支持体７１は、中間転写ベルト２４を支持したまま、中間転写ベルト２４と一体に画像形成装置本体６０から前方へ引き出されるようになっている。
【００２９】
（画像形成装置本体６０）
次に、画像形成装置本体６０の具体的な構成について説明する。図５は、画像形成装置本体６０の具体的な構成を示す斜視図である。
【００３０】
画像形成装置本体６０は、図５に示されるように、フレーム６１と、筺体５９（外装カバー、図１参照）と、を有している。フレーム６１は、支柱６２と、フロントフレーム６４（前壁）と、リアフレーム６６（後壁）と、右フレーム６８（右側壁）と、左フレーム６９（左側壁）と、連結フレーム６７（連結壁）と、を有して構成されている。
【００３１】
支柱６２は、画像形成装置本体６０の左前側の部分を構成している。この支柱６２に対して、フロントフレーム６４の左端部が固定されている。左フレーム６９は、フロントフレーム６４の左端側とリアフレーム６６の左端側との上部同士を連結している。右フレーム６８は、フロントフレーム６４の右端側とリアフレーム６６の右端側との下部同士を連結している。
【００３２】
フロントフレーム６４には、画像形成ユニット２２Ｙ〜２２Ｋ及び転写ユニット７０を収納位置（図６に示す位置）から前方へ引き出すための開口６４Ａが形成されている。開口６４Ａの下縁には、連結フレーム６７の前端側が固定されている。連結フレーム６７の後端部がリアフレーム６６に固定されており、連結フレーム６７は、フロントフレーム６４とリアフレーム６６とを連結している。
【００３３】
連結フレーム６７には、各画像形成ユニット２２Ｙ〜２２Ｋを着脱方向（引出方向及び装着方向）に案内する案内部材６７Ａ（ガイド）が設けられている。案内部材６７Ａは、連結フレーム６７上に前後方向に沿って延びて設けられている。さらに、転写ユニット７０を着脱方向に案内する図示しない案内部材（ガイド）がフロントフレーム６４とリアフレーム６６との間に設けられている。
【００３４】
当該案内部材（図示省略）及び案内部材６７Ａによって、画像形成ユニット２２Ｙ〜２２Ｋ及び転写ユニット７０は、それぞれ、画像形成装置本体６０に収納（装着）された収納位置（図６に示す位置）と、当該収納位置から前方へ引き出された引出位置と、の間を前後方向に移動可能となっている。なお、図６では、画像形成ユニット２２Ｙ〜２２Ｋのうち、画像形成ユニット２２Ｙのみを図示している。
【００３５】
転写ユニット７０の収納位置（収納状態）において、中間転写ベルト２４及び後板７４がフロントフレーム６４とリアフレーム６６との間に位置する。転写ユニット７０の引出位置（引出状態）において、中間転写ベルト２４がフロントフレーム６４の前方に位置する。
【００３６】
画像形成ユニット２２Ｙ〜２２Ｋの収納位置（収納状態）において、感光体３２がフロントフレーム６４とリアフレーム６６との間に位置する。画像形成ユニット２２Ｙ〜２２Ｋの引出位置（引出状態）において、感光体３２がフロントフレーム６４の前方に位置する。
【００３７】
本実施形態では、画像形成ユニット２２Ｙ〜２２Ｋ及び転写ユニット７０は、収納位置から引出位置へ一体に前方へ引き出し可能とされている。なお、画像形成ユニット２２Ｙ〜２２Ｋ及び転写ユニット７０は、それぞれが個別に引き出し可能に構成されていてもよい。この構成において、画像形成ユニット２２Ｙ〜２２Ｋ及び転写ユニット７０を別々に引き出す際には、中間転写ベルト２４を感光体３２から退避させると共に、後述の突当部材１００が転写ユニット７０の前板７２から取り外される。
【００３８】
このように、転写ユニット７０と画像形成ユニット２２Ｙ〜２２Ｋとの着脱方向は、同一方向とされており、画像形成ユニット２２Ｙ〜２２Ｋは、転写ユニット７０の着脱方向に沿って収納及び引出が可能となっている。
【００３９】
そして、転写ユニット７０及び画像形成ユニット２２Ｙ〜２２Ｋは、画像形成装置本体６０から引き出されてから、画像形成装置本体６０から取り外されて、交換可能となっている。なお、転写ユニット７０及び画像形成ユニット２２Ｙ〜２２Ｋは、画像形成装置本体６０から引き出されるが、画像形成装置本体６０から離脱しない構成であってもよい。      
【００４０】
また、画像形成装置本体６０は、収納位置における転写ユニット７０の前板７２及び収納位置における画像形成ユニット２２Ｙ〜２２Ｋの前板２９Ａの前方に、外装カバー（図示省略）を有している。従って、当該外装カバーを開放してから、転写ユニット７０及び画像形成ユニット２２Ｙ〜２２Ｋの引き出しが行われる。
【００４１】
（転写ユニット７０の位置決め）
次に、転写ユニット７０を画像形成装置本体６０に対して位置決めする構成について説明する。
【００４２】
リアフレーム６６には、図５に示されるように、転写ユニット７０の後端部を位置決めする位置決め部材９０、９１が設けられている。位置決め部材９０、９１には、画像形成装置本体６０に対する収納状態における転写ユニット７０の巻掛ロール４２、４３の軸受部（図示省略）が差し込まれる差込孔９２、９３が形成されている。当該軸受部が差込孔９２、９３に差し込まれることで、転写ユニット７０の後端部が、リアフレーム６６に対して、上下方向及び左右方向に位置決めされる。
【００４３】
また、前板７２の後面には、フロントフレーム６４の開口６４Ａの上縁６３及び側縁６５に接触する接触部（図示省略）が設けられている。当該接触部が、転写ユニット７０の収納状態において、開口６４Ａの上縁６３及び側縁６５に当たることで、転写ユニット７０の前端部が、フロントフレーム６４に対して、上下方向及び左右方向に位置決めされる。
【００４４】
さらに、前板７２の後面が、フロントフレーム６４の前面に接触することで、転写ユニット７０が、フロントフレーム６４に対して前後方向に位置決めされる。
【００４５】
以上のように、転写ユニット７０は、画像形成装置本体６０に対する収納状態（収納位置）において、位置決めの基準となる画像形成装置本体６０（フレーム６１）に対して位置決めされる。なお、転写ユニット７０を画像形成装置本体６０に対して位置決めする構成としては、上記の構成に限られるものではない。
【００４６】
（画像形成ユニット２２Ｙ〜２２Ｋの位置決め）
次に、画像形成ユニット２２Ｙ〜２２Ｋを画像形成装置本体６０に対して位置決めする構成について説明する。
【００４７】
図５に示されるように、リアフレーム６６には、各画像形成ユニット２２Ｙ〜２２Ｋの後端部を位置決めする位置決め部材８０が設けられている。各位置決め部材８０には、図７に示されるように、差込孔８２が形成されている。この差込孔８２には、収納状態の各画像形成ユニット２２Ｙ〜２２Ｋの後端部（引出方向奥側の端部）に設けられた凸部の一例としての軸受部３２Ｂ（図３参照）が後方（引出方向の反対方向）へ差し込まれる。
【００４８】
差込孔８２の下方には、差込孔８２内の軸受部３２Ｂを差込孔８２の上縁側へ押し付けるＣ字状（円弧状）の押付部材８４が設けられている。この押付部材８４は、軸受部３２Ｂが差し込み可能な空間を差込孔８２が維持する範囲で上下動可能とされ、圧縮ばね８６によって上方へ付勢されている。軸受部３２Ｂは、テーパ部８４Ａを介して押付部材８４を押し下げて、差込孔８２に差し込まれるようになっている。そして、差込孔８２に差し込まれた軸受部３２Ｂが押付部材８４で上方へ押し付けられることで、各画像形成ユニット２２Ｙ〜２２Ｋの後端部は、リアフレーム６６に対して、引出方向と交差する交差方向としての上下方向及び左右方向に位置決めされる。
【００４９】
一方、画像形成ユニット２２Ｙ〜２２Ｋの前端部は、以下のように、画像形成装置本体６０に対して位置決めされる。図４に示されるように、転写ユニット７０における前板７２の下端面には、各画像形成ユニット２２Ｙ〜２２Ｋの前端部を位置決めする４つの位置決め溝７８が形成されている。位置決め溝７８は、下方側へ開放された逆Ｖ字状（ハの字状）に形成されている。具体的には、位置決め溝７８は、図８に示されるように、傾斜部７８Ｂ、７８Ｃと、頂部７８Ａと、を有している。傾斜部７８Ｂ、７８Ｃ及び頂部７８Ａは、平面で構成されている。傾斜部７８Ｂ、７８Ｃは、上側（頂部７８Ａ）に向かって徐々に互いが近づくように傾斜している。
【００５０】
図９及び図１０に示されるように、各画像形成ユニット２２Ｙ〜２２Ｋには、画像形成ユニット２２Ｙ〜２２Ｋの前端部を前板７２へ引っ張る力によって、位置決め溝７８に軸受部３２Ａを突き当てる突当部材１００が設けられている。
【００５１】
突当部材１００は、図９に示されるように、Ａ方向に沿った回転軸１０１（図１０参照）周りに回転可能に各画像形成ユニット２２Ｙ〜２２Ｋに支持された本体１０２と、本体１０２に対する回転軸１０１とは反対側に設けられたフック１０４と、本体１０２をフック１０４側へ引っ張る引張バネ１０６と、を有している。
【００５２】
フック１０４の先端部１０４Ａが転写ユニット７０の前板７２の引掛孔１０８に対して引っ掛けられることで、各画像形成ユニット２２Ｙ〜２２Ｋが転写ユニット７０へ引っ張られる。これにより、各画像形成ユニット２２Ｙ〜２２Ｋの前端部（引出方向手前側の端部）に設けられた凸部の一例としての軸受部３２Ａ（図２参照）が、位置決め溝７８に対して、引出方向と交差する上方へ突き当たる。この軸受部３２Ａは、図８に示されるように、前方（引出方向手前側）から見て円形状をしており、位置決め溝７８の傾斜部７８Ｂ、７８Ｃに対して、２点接触で突き当たる。フック１０４の先端部１０４Ａが転写ユニット７０の前板７２の引掛孔１０８に対して引っ掛けられた状態において、軸受部３２Ａが位置決め溝７８の傾斜部７８Ｂ、７８Ｃに突き当てられた状態が維持される。
【００５３】
このように、軸受部３２Ａが位置決め溝７８の傾斜部７８Ｂ、７８Ｃに突き当たることで、各画像形成ユニット２２Ｙ〜２２Ｋの前端部は、転写ユニット７０に対して、引出方向と交差する交差方向としての上下方向及び左右方向に位置決めされる。すなわち、各画像形成ユニット２２Ｙ〜２２Ｋの前端部は、画像形成装置本体６０に対して位置決めされる転写ユニット７０に対して位置決めされる。
【００５４】
さらに、フック１０４の先端部１０４Ａが転写ユニット７０の前板７２の引掛孔１０８に対して引っ掛けられることで、画像形成ユニット２２Ｙ〜２２Ｋは、転写ユニット７０を介して、画像形成装置本体６０に対し前後方向に位置決めされる。
【００５５】
以上のように、各画像形成ユニット２２Ｙ〜２２Ｋは、位置決めの基準となる画像形成装置本体６０（フレーム６１）に対して位置決めされる。
【００５６】
なお、突当部材１００は、図９の２点鎖線で示すように、回転軸１０１（図１０参照）周りにＢ方向に回転させることで、転写ユニット７０から取り外される。また、突当部材１００は、転写ユニット７０側に回転可能に設けられ、フック１０４を各画像形成ユニット２２Ｙ〜２２Ｋに引っ掛ける構成であってもよい。すなわち、突当部材１００は、各画像形成ユニット２２Ｙ〜２２Ｋから転写ユニット７０に配置される構成であればよい。
【００５７】
（本実施形態に係る作用）
次に、本実施形態に係る作用を説明する。
【００５８】
本実施形態によれば、前述のように、転写ユニット７０と画像形成ユニット２２Ｙ〜２２Ｋとの着脱方向は、同一方向とされており、画像形成ユニット２２Ｙ〜２２Ｋは、転写ユニット７０の着脱方向に沿って収納及び引出が可能となっている。
【００５９】
そして、画像形成装置本体６０に対して画像形成ユニット２２Ｙ〜２２Ｋが収納された状態において、各画像形成ユニット２２Ｙ〜２２Ｋの後端部が画像形成装置本体６０のリアフレーム６６に位置決めされ、画像形成装置本体６０に位置決めされた転写ユニット７０の前板７２に対して各画像形成ユニット２２Ｙ〜２２Ｋの前端部が位置決めされる。これにより、画像形成装置本体６０に対する収納状態の各画像形成ユニット２２Ｙ〜２２Ｋが、画像形成装置本体６０に対して位置決めされる。
【００６０】
本実施形態では、前述のように、転写ユニット７０の前板７２を利用して、各画像形成ユニット２２Ｙ〜２２Ｋを位置決めするので、各画像形成ユニット２２Ｙ〜２２Ｋを位置決めするためのインナーカバーを設ける構成に比べ、部品点数を増加させずに、画像形成ユニット２２Ｙ〜２２Ｋが画像形成装置本体６０に対して位置決めされる。
【００６１】
また、本実施形態では、各画像形成ユニット２２Ｙ〜２２Ｋに設けられた突当部材１００のフック１０４が、転写ユニット７０の引掛孔１０８に引っ掛けられることで、軸受部３２Ａが、位置決め溝７８に突き当てられる。このため、軸受部３２Ａを位置決め溝７８に突き当てるための荷重は、各画像形成ユニット２２Ｙ〜２２Ｋと転写ユニット７０との間で作用し、画像形成装置本体６０に作用しない。従って、画像形成装置本体６０に設けられた弾性部材で軸受部３２Ａを位置決め溝７８に突き当てる場合に比べ、画像形成装置本体６０の剛性を高くする必要がなくなる。
【００６２】
また、本実施形態では、感光体３２の軸受部３２Ｂが位置決め部材８０の差込孔８２に差し込まれることで、各画像形成ユニット２２Ｙ〜２２Ｋの後端部が、画像形成装置本体６０に位置決めされる。このため、各画像形成ユニット２２Ｙ〜２２Ｋの後端部を下方に開放された溝に押し当てて位置決めする場合に比べ、簡易な構成となる。
【００６３】
また、本実施形態では、感光体３２の軸受部３２Ａが、逆Ｖ字状の位置決め溝７８の傾斜部７８Ｂ、７８Ｃに対して２点接触で突き当てることで、各画像形成ユニット２２Ｙ〜２２Ｋの前端部が画像形成装置本体６０に対して位置決めされる。このため、軸受部３２Ａが１点や３点以上で溝に接触する場合に比べ、位置決め精度が高くなる。
【００６４】
（変形例）
本実施形態では、各画像形成ユニット２２Ｙ〜２２Ｋの軸受部３２Ｂが、位置決め部材８０の差込孔８２に差し込まれることで、各画像形成ユニット２２Ｙ〜２２Ｋの後端部が画像形成装置本体６０に位置決めされていたが、この構成に限られるものではない。例えば、図１１に示される構成であってもよい。図１１に示される構成では、リアフレーム６６に凸部の一例としての軸部３１０が回転可能に支持されている。軸部３１０は、後端側から駆動力が入力されて回転する構成とされている。
【００６５】
軸部３１０の前端側は、先細り形状とされている。軸部３１０の軸方向中間部におけるリアフレーム６６に対する前側の位置には、ギヤ３１２が設けられている。感光体３２には、軸部３１０が差し込まれる差込孔３２０が形成されている。また、感光体３２の後端には、ギヤ３１２と前後方向に噛み合うギヤ３２２が設けられている。この構成では、感光体３２の差込孔３２０に軸部３１０が引き出し方向に沿って差し込まれると共に、ギヤ３１２とギヤ３２２が引き出し方向に噛み合うことで、各画像形成ユニット２２Ｙ〜２２Ｋの後端部が、リアフレーム６６に対して、上下方向及び左右方向に位置決めされる。
【００６６】
また、本実施形態では、画像形成ユニット２２Ｙ〜２２Ｋから中間転写ベルト２４へ転写された画像を記録媒体Ｐに転写する中間転写型の画像形成装置１０を用いたが、これに限られず、図１２に示されるように、直接転写型の画像形成装置２００であってもよい。画像形成装置２００は、画像形成ユニット２２Ｙ〜２２Ｋと、被支持体の一例としての搬送ベルト２０２と、を有している。
【００６７】
この構成では、搬送ベルト２０２が、矢印Ｈ方向に記録媒体Ｐを搬送し、当該記録媒体Ｐに対し、画像形成ユニット２２Ｙ〜２２Ｋで形成された各色のトナー画像が転写される。搬送ベルト２０２は、前板７２及び後板７４を有する搬送ユニットとして、前述の転写ユニット７０と同様に構成される。
【００６８】
また、本実施形態では、画像形成体が複数の画像形成ユニット２２Ｙ〜２２Ｋで構成されていたが、画像形成体としては、単一の画像形成ユニットで構成されていてもよい。
【００６９】
また、本実施形態では、突当部材１００によって、画像形成ユニット２２Ｙ〜２２Ｋの前端部が前板７２へ引っ張られる構成とされていたが、これに限られない。例えば、突当部材１００に替えて、フロントフレーム６４の下部（例えば、開口６４Ａの下縁）に設けられた圧縮ばねで、各画像形成ユニット２２Ｙ〜２２Ｋを転写ユニット７０の前板７２に押し付ける構成であってもよい。
【００７０】
また、本実施形態では、感光体３２の軸受部３２Ａ、３２Ｂを用いて、画像形成ユニット２２Ｙ〜２２Ｋを位置決めしていたが、これに限られない。例えば、画像形成ユニット２２Ｙ〜２２Ｋの筐体２９の前板２９Ａ及び後板２９Ｂから突出して形成された円柱又は円筒状の突出部を用いて位置決めする構成であってもよい。
【００７１】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【００７２】
１０  画像形成装置
２２Ｙ〜２２Ｋ  画像形成ユニット（画像形成体の一例）
２４  中間転写ベルト（被支持体の一例）
３２Ａ  軸受部（引出方向手前側の端部の一例）
３２Ｂ  軸受部（引出方向奥側の端部の一例）
６０  画像形成装置本体（装置本体の一例）
７１  支持体
７２  前板（支持部の一例）
７８  位置決め溝（Ｖ字状の溝の一例）
８２  差込孔（孔の一例）
１００  突当部材
２００  画像形成装置
２０２  搬送ベルト（被支持体の一例）
Ｐ  記録媒体
【図１】
0006413435.tif 000002
【図２】
0006413435.tif 000003
【図３】
0006413435.tif 000004
【図４】
0006413435.tif 000005
【図５】
0006413435.tif 000006
【図６】
0006413435.tif 000007
【図７】
0006413435.tif 000008
【図８】
0006413435.tif 000009
【図９】
0006413435.tif 000010
【図１０】
0006413435.tif 000011
【図１１】
0006413435.tif 000012
【図１２】
0006413435.tif 000013